(57)【要約】【課題】個々のつば付き帽子に合わせた形状に形成できるハンガーを提供する。【解決手段】ハンガー５は、平板状の第１の部分１０と、第１の部分を中心として、帽子３０のつば３１に対し十分に長く放射状に延びた少なくとも３つの第２の部分２０とを備え、第１の部分は、第１の部分の少なくとも一部が、つば３１の裏側３１ａと帽子のクラウン３２との境界３４に当たるようにＬ字状に曲げられた部分１１を有し、少なくとも３つの第２の部分の１つがフック部２１として延び、他の第２の部分が、帽子のつばの前縁部分３３を挟み込むように折り返された部分２６となっている。個々のつば付き帽子に合わせたハンガー５を提供できる。【選択図】図２
2020014759.tif 000002
【特許請求の範囲】
【請求項１】
個々のつば付き帽子に合わせたハンガーを、汎用で折り曲げ可能なハンガー板より成型する成型方法であって、
前記ハンガー板は、平板状の第１の部分を中心として、帽子のつばに対し十分に長く放射状に延びた少なくとも３つの第２の部分を含み、
当該成型方法は、
前記第１の部分の少なくとも一部を、前記つばの裏側と前記帽子のクラウンとの境界に当たるようにＬ字状に曲げることと、
前記第２の部分の少なくとも１つを当該ハンガーのフック部として残し、他の前記第２の部分を帽子のつばの前縁部分が挟み込まれるように折り返すこととを有する、成型方法。
【請求項２】
請求項１において、
前記少なくとも３つの第２の部分は、中央の第２の部分と、前記中央の第２の部分に対して対称な方向に延びた、側方の第２の部分とを含み、
前記折り返すことは、前記中央の第２の部分をフック部として残し、前記側方の第２の部分を折り返すことを含む、成型方法。
【請求項３】
個々のつば付き帽子に合わせたハンガーを成型するための、汎用で折り曲げ可能なハンガー板であって、
平板状の第１の部分と、
前記第１の部分を中心として、帽子のつばに対し十分に長く放射状に延びた少なくとも３つの第２の部分とを有する、ハンガー板。
【請求項４】
請求項３において、
前記少なくとも３つの第２の部分は、中央の第２の部分と、
前記中央の第２の部分に対して対称な方向に延びた、側方の第２の部分とを含む、ハンガー板。
【請求項５】
請求項４において、
前記中央の第２の部分の先端にフック用の孔を含む、ハンガー板。
【請求項６】
請求項３ないし５のいずれかにおいて、
前記ハンガー板は、ステンレススチール製である、ハンガー板。
【請求項７】
個々のつば付き帽子に合わせたハンガーであって、
前記ハンガーは、平板状の第１の部分と、前記第１の部分を中心として、帽子のつばに対し十分に長く放射状に延びた少なくとも３つの第２の部分とを備え、
前記第１の部分は、前記第１の部分の少なくとも一部が、前記つばの裏側と前記帽子のクラウンとの境界に当たるようにＬ字状に曲げられた部分を有し、
前記少なくとも３つの第２の部分の１つがフック部として延び、
他の前記第２の部分が、帽子のつばの前縁部分を挟み込むように折り返されている部分を含む、ハンガー。
【請求項８】
請求項７において、
前記少なくとも３つの部分は、中央の第２の部分と、前記中央の第２の部分に対して対称な方向に延びた、側方の第２の部分とを含み、前記中央の第２の部分が前記フック部として延び、前記側方の第２の部分が、帽子のつばの前縁部分を挟み込むように折り返されている、ハンガー。
【発明の詳細な説明】
【技術分野】
【０００１】
本発明は、個々のつば付き帽子に合わせて成型可能なハンガー、並びにハンガー板およびその成型方法に関するものである。
【背景技術】
【０００２】
特許文献１には、円柱形の回転軸の周りに枝のようなローラーはさみを設け、ローラーはさみに帽子のつばや端を差し込むことで、ワンタッチで収納可能にした、帽子用多目的ハンガーラックが開示されている。この多目的ハンガーラックにおいては、取り出す際には、はさみがローラー式であるので、ただ引き抜くことで帽子を傷めず、帽子やアクセサリーを取り出すことを可能にした事を特徴としている。
【先行技術文献】
【特許文献】
【０００３】
【特許文献１】特開２０１４−０３６８２４号公報
【発明の概要】
【発明が解決しようとする課題】
【０００４】
つば付き帽子の使用者（ユーザー）は、それぞれの好みが異なることがある。つば付き帽子は、つばの長さ、幅などの形状が変わってもよい。また、ユーザーは、つばの形状を個人の好みに合わせて曲げることがある。さらに、ユーザーの中には、帽子をリュックなどとともに安全に持ち歩きたいという要望を持つものもある。これらの要望に対応可能なハンガーは提供されていない。
【課題を解決するための手段】
【０００５】
本発明の態様の１つは、頭にかぶるクラウンと、クラウンから延びたつばとを有するつば付き帽子に合わせて成型可能な、汎用で折り曲げ可能なハンガー板を提供することである。個々のつば付き帽子に合わせたハンガーを成型するための、汎用で折り曲げ可能なハンガー板は、平板状の第１の部分と、第１の部分を中心として、帽子のつばに対し十分に長く放射状に延びた少なくとも３つの第２の部分を含む。
【０００６】
本発明の他の態様の１つは、個々のつば付き帽子に合わせたハンガーをハンガー板より成型する成型方法である。成型方法は、以下の工程を含む。
・ハンガー板の第１の部分の少なくとも一部を、つばの裏側と帽子のクラウンとの境界に当たるようにＬ字状に曲げること。
・第２の部分の少なくとも１つを当該ハンガーのフック部として残し、他の第２の部分を帽子のつばの前縁部分が挟み込まれるように折り返すこと。
【０００７】
この成型方法においては、個々の帽子のつばの長さが異なっていたり、つばの湾曲が異なっていても、個々の前縁部分の位置および形状に合致し、それを挟み込むように第２の部分を折り返すことができる。第２の部分の折り返した部分は、第１の部分のＬ字状に曲げられた部分を中心として位置が決まる。このため、成型されたハンガーは、第２の部分の折り返した部分でつばの前縁部分を挟み、第１の部分のＬ字状に曲げられた部分を帽子のクラウンとつばとの境界に当てることにより、第１の部分とＬ字状に曲げられた部分と第２の折り返した部分とで個々の帽子のつばを挟み、つば付き帽子を確実に保持できる。
【０００８】
このハンガーを成型するためのハンガー板は全体が平板であってもよく、製造、保管および輸送が容易で流通させやすい。ハンガー板を入手したユーザーは、上記の工程で、自己の帽子のつばの形状に合わせたハンガー、または自己が望む形状になるようにつばの形状を補正するためのハンガーを簡単に成型できる。さらに、成型されたハンガーで、帽子のつばの形状を保持したり、癖（型）をつけたりするとともに、ハンガーでつばを保持した状態で帽子を保管したり、リュックなどにハンガーをつけて帽子を持ち歩くことも可能となる。また、ユーザーがハンガーを所望の形状に成型できるので、つばの型作りと、型崩れの防止との機能を兼ねた帽子（キャップ）用ハンガーを提供できる。
【０００９】
本発明のさらに異なる他の態様の１つは、個々のつば付き帽子に合わせたハンガーである。ハンガーは、平板状の第１の部分と、第１の部分を中心として、帽子のつばに対し十分に長く放射状に延びた少なくとも３つの第２の部分とを備えている。第１の部分は、第１の部分の少なくとも一部が、つばの裏側と帽子のクラウンとの境界に当たるようにＬ字状に曲げられた部分を有する。少なくとも３つの第２の部分は、その１つがフック部として延び、他の第２の部分が、帽子のつばの前縁部分を挟み込むように折り返されている。
【００１０】
少なくとも３つの第２の部分は、中央の第２の部分と、中央の第２の部分に対して対称な方向に延びた、側方の第２の部分とを含んでもよい。成型方法においては、中央の第２の部分をフック部として残し、側方の第２の部分を折り返してもよい。中央の第２の部分がフック部として帽子のつばの中央で帽子を吊り下げることができ、他の第２の部分で、帽子を中央に対して対称な位置で挟み込んで保持するハンガーを成型できる。すなわち、ハンガーは、中央の第２の部分と、中央の第２の部分に対して対称な方向に延びた、側方の第２の部分とを含む。中央の第２の部分は、当該のハンガーのフック部として延び、側方の第２の部分は、帽子のつばの前縁部分が挟み込まれるように折り返されている。
【００１１】
中央の第２の部分の先端にフック用の孔を含んでいてもよい。ハンガー板は、ステンレス製であってもよい。適当な厚みに設定することにより、曲げやすく、曲げた状態で十分な強度があり、耐久性も高く、錆びにくいハンガーを成型できる。
【図面の簡単な説明】
【００１２】
【図１】ハンガー板の一例を示す平面図。
【図２】ハンガー板により成型されたハンガーで帽子を保持した状態を示す図。
【図３】ハンガーに帽子を取り付ける様子を示す図。
【図４】ハンガー板からハンガーを成型する工程を示す図であって、第１の部分をＬ字状に折り曲げた状態を示す図である。
【図５】図４に続いて、第２の部分の中央をフック部として残し、他の部分を折り返す様子を示す図。
【図６】図５に続いて、第２の部分の残りを折り返した様子を示す図。
【図７】さらに、つばの形状を湾曲させる様子を示す図。
【発明を実施するための形態】
【００１３】
図１に、本発明にかかるハンガー板の一例を示している。ハンガー板１は、ステンレス製の薄い平板状であり、図面上の下側に位置する板状の第１の部分（中心部、板状部）１０を中心として放射状に延びた複数の細長い板状の第２の部分（フィンガー部）２０とを含む。本例のハンガー板１は、１８０度の範囲内の扇形に延びた７本のフィンガー部２０ａ〜２０ｇを含む。以降において、これらフィンガー部２０ａ〜２０ｇの全体を示す場合は、フィンガー部２０として記載する。フィンガー部２０は、３つ以上であればよく、６本以下であってもよく、８本以上であってもよい。中心部１０は、複数のフィンガー部２０の接続部分となるベース部１２と、ベース部１２から下方に延び、後述するようにＬ字形に曲げられる部分１１とを含む。
【００１４】
７本のフィンガー部２０ａ〜２０ｇのうち、中央のフィンガー部２０ｄは、先端に孔２５が設けられおり、フック部（フック）２１として用いられる。フック２１の両側（側方）に対称に配置された６本のフィンガー部２０ａ〜２０ｃおよび２０ｅ〜２０ｇは折り曲げ可能な形状となっており、長手方向の先端または途中が成型の段階で折り曲げられて、つばを挟むアーム部（アーム）２２として用いられる。
【００１５】
図２に、ハンガー板１を、帽子３０のつば３１に合わせて成型したハンガー５により帽子３０を保持した様子を示している。また、図３に、ハンガー５に帽子３０を取り付ける様子を示している。帽子３０は、頭部をカバーするカップ状のクラウン（帽体）３２と、クラウン３２の前方に延びたつば（目庇）３１とを有する野球帽タイプの庇付き帽子（つば付き帽子）である。つば３１は、プラスチックや不織布などの所定の強度を備え、かつ変形が可能な芯を適当な生地によりカバーしたものであってよく、用途、デザイン、ユーザーの志向などにより、つば３１の形状、長さなどを含むデザインの異なる帽子３０が市販されている。さらに、ユーザーが、つば３１の形状、具体的には歪みの程度を、帽子３０の用途や志向などにより変えてもよい。ユーザーによっては、平板に近いつば３１の形状を好んだり、大きく湾曲したつば３１の形状を好んだりしてもよい。また、同一のユーザーであっても、帽子３０のデザインや用途により、つば３１の湾曲の程度を変えることもある。
【００１６】
図３に示すように、ハンガー５は、ハンガー板１の中心部１０の一部１１が帽子３０のクラウン３２とつば３１との境界３４に当たるようにＬ字状に折り返されており、フィンガー部２０の６本のアーム部２２の途中２６がつば３１の先端（前縁部分）３３を挟み込んで保持するように折り返されている。このため、図２に示すように、つば３１を、ハンガー５の折り返されたアーム部２２に挿入し、Ｌ字状の部分１１をクラウン３１とつば３３との境界３４に引っ掛けることにより、つば３１の先端３３がアーム部２２の折り返された部分２６により挟み込まれ、ほとんど動かないように固定される。したがって、ハンガー５により帽子３０を確実に保持でき、フィンガー部２０の中でまっすぐに伸びたフック部２１の先端のフック孔２５を介して帽子３０を所望の場所に吊るした状態で保持できる。フック孔２５には、Ｓ字フックなどのフック４０を通してもよく、紐、リング、ホルダーなどを通してもよく、使い方はユーザーの自由である。さらに、このハンガー５は、ハンガー板１からユーザーが所望の形状に成型できるので、帽子３０をハンガー５に装着して吊るしておくだけで、つば３１の型作りと、型崩れの防止とを同時に行うことができる。
【００１７】
図４〜図７により、ハンガー板１からハンガー５を成型する過程を説明する。まず、図４に示すように、ハンガー板１を、つば３１の裏側３１ａに合わせる。フィンガー部２０は、帽子３０のつば３１に対して十分に長く、放射状に延びた部分であり、板状の中心部１０をつば３１の中心に配置するとフィンガー部２０は、つば３１の先端３３を超えて延びた状態となるように配置できる。この際、予め、フィンガー部２０のうち、つば３１を挟むために折り返すことになるアーム部２２の先端２４を、つば３１を挟み込むために折り返す方向と逆方向、この例では、つば３１の裏側３１ａの方向に、若干折り曲げておくことが望ましい（ＳＴ１）。つば３１の先端３３を挿入しやすくなる。先端２４を曲げる工程ＳＴ１では、ペンチ等の工具を用いてもよい。
【００１８】
次に、ハンガー板１の板状の中心部１０の下側に延びた部分１１をつば３１の裏側３１ａとクラウン３２との境界（境界部分）３４に合わせてほぼ９０度に、Ｌ字状に曲げてＬ字状の部分１１を成型する（ＳＴ２）。Ｌ字状折り曲げ部分１１を形成する際は、台の角部等を利用して、Ｌ字状折り曲げ部分１１を形成してもよい。Ｌ字状折り曲げ部分１１は、帽子３０のクラウン３２が引っ掛ける程度に曲げられていればよく、曲げ角度は９０度以下であってもよく、９０度以上であってもよい。
【００１９】
図５は、帽子３０を表側から見た図である。ハンガー板１のフィンガー部２０のうちの、中央のフック部２１となるフィンガー部２０ｄを除き、側方のフィンガー部２０ａ〜２０ｃおよび２０ｅ〜２０ｇをアーム部２２として、それらのつば３１の前縁部分３３から外に延びた部分２７を、アーム部２２の途中から、つば３１の表側３１ｂに向かって折り返して、折り返し部分２６を形成する（ＳＴ３）。折り返し部分２６を形成する際は、アーム部２２の折り返し部分２６の形状が鋭角になりすぎないよう、緩やかな形状を保つように曲げ加工することが望ましい。折り返し部分２６を、１８０度以上の円または円弧を描くように比較的緩やかなカーブを描くように形成することにより、折り返し部分２６にばね弾性を持たせることができる。したがって、つば３１の先端３３を折り返し部分２６に挿入したときに、つば３１を折り返し部分２６で挟み込んで確実に保持できる。一方、折り返し部分２６を１８０度急激に折り曲げると、アーム部２２の部材が損傷したり、ばね効果が得られない可能性がある。
【００２０】
図６は、帽子３０を裏側から見た図であり、ハンガー板１のすべてのアーム部２２の途中をつば３１の先端３３に合わせて、つば３１の裏面３１ａから表面３１ｂに向けて折り返して（ＳＴ３）、ハンガー５を成型した状態を示している。アーム部２２を折り返す際、放射状に広がったそれぞれのアーム部２２の折り返した部分２６が、つば３１の先端（前縁）３３の近傍を挟み込むように加工することが望ましい。つば３１の先端３３の放射状に広がった各点を、複数のアーム部２２の折り返した部分２６で挟み込んで保持することができる。
【００２１】
図７は、帽子３０を表側から見た図である。すべてのアーム部２２の途中を折り曲げて折り返し部分２６を形成した後、さらに、ユーザーが所望するつば３１の湾曲形状が得られるように、ハンガー５を湾曲させる（ＳＴ４）。この工程は、つば３１を湾曲させずに帽子３０を使用する場合は、不要である。また、湾曲してしまったつば３１を、ハンガー５で平坦なつば３１に矯正したい場合も、この工程は不要である。
【００２２】
一方、所望の形状に湾曲したつば付き帽子３０が欲しい場合は、つば３１を含めてハンガー５を湾曲させる工程（ＳＴ４）により、所望の形状に湾曲したハンガー５を成型できる。したがって、帽子３０を、そのつば３１をハンガー５に装着して保持することにより、つば３１を所望の湾曲を備えた形状に型作りできる。また、ハンガー５で保管することにより保管中の型崩れを防止できる。さらに、雨にぬれたり、その他の種々の理由により、つば３１が型崩れしてしまった場合でも、ハンガー５に装着して乾かしたり、保管することにより、所望の形になるように、つば３１の形を矯正できる。
【００２３】
このように、本例のキャップ用ハンガー５は、上述した方法（成型方法）により、ハンガー板１から個々のつば付き帽子に合わせて成型することができる。このため、様々なタイプのつば付き帽子に対し、様々なユーザーの趣味や嗜好に合わせてハンガー５を成型することができる。ハンガー５は、それぞれのユーザー自身が成型してもよく、帽子を提供する側が、帽子の機能あるいは帽子を使うユーザーの希望に合わせてハンガー５を成型してもよい。対象となる帽子３０は、上述した野球帽が典型的なものであるが、テンガロンハットのようなつばの形状が複雑な帽子の型作り、および型崩れを防ぐためにも適している。また、つばが柔らかく、型作りを必要としない帽子であっても、本例のハンガー５であればつばを広げた状態で保管したり搬送したりすることができるので、乾燥などの他の目的を含めて保管および搬送することが可能となる。
【００２４】
一方、ハンガー５の成型元となるハンガー板１は、さまざまな帽子３０にフィットするような汎用型で、中心部１０とフィンガー部２０とを備えた手のひら状に成型された板状部材であってよく、流通や保管に適した形状である。さらに、手のひら状の中心部１０に、製造者、販売者あるいは配布者のロゴやメッセージを印刷したり、貼り付けたりすることが可能である。このため、様々なイベントの宣伝用のグッズや、帽子および他の製品の販促グッズとして提供することも可能である。
【００２５】
ハンガー板１より成型（製造）されたハンガー５は、帽子３０を保持した状態でほとんどの部分が帽子３０のつば３１の内部に収まり、つば３１からフック部２１が飛び出すだけの形状となる。したがって、帽子３０を、壁掛けのフックなどにかけるのと同程度のスペースがあれば、どこにでも、例えば、リュックなどに吊るして保管したり、持ち歩くことが可能である。さらに、帽子３０をハンガー５に装着するときは、つば３１をハンガー５の折り返されたアーム部２２に挿入するだけでよい。帽子３０をハンガー５から取り外すときも、アーム部２２からつば３１を引き抜くだけでよい。したがって、きわめて容易にハンガー５を使用できる。また、つば３１をハンガー５のアーム部２２に挿入すると、ハンガー５のＬ字形の部分１１がクラウン３２に引っかかるので、アーム部２２の折り返し部分２６と、Ｌ字形の部分１１とでつば３１を挟み込んだ状態で帽子３０を保持できる。したがって、ハンガー５にいったん帽子３０が装着されると帽子３０はハンガー５から外れにくく、ハンガー５を用いて帽子３０を、安全に保管したり、持ち歩くことができる。
【００２６】
また、ハンガー５のアーム部２２となるハンガー板１のフィンガー部２０は、帽子３０のつば３１に対し、十分に長く放射状に延びた部分であってもよく、フィンガー部２０がある程度の長さを備えていても、ハンガー５を形成するときに折り返すので、コンパクトなハンガー５を提供できる。さらに、フィンガー部２０をある程度の長さ、例えば５〜２０ｃｍ程度に設定することにより、つば３１が大きい帽子３０に対しても、アーム部２２で帽子３０のつば３１が挟み込まれるように折り返し部分２６を形成できる。したがって、フィッシングキャップなどのロングバイザー（つばが長い形状）の帽子など、様々なつばの帽子用のハンガー５をハンガー板１により形成できる。それぞれのフィンガー部２０の形状は、本例では、先端が丸くなった、幅が５ｍｍ〜２ｃｍ程度の細長い長方形であるが、さらに細長い棒状であってもよく、折り返しが容易で、折り返した後に所望の強度が得られる形状であれば、幅広の樽型、鼓型などの様々な形状を採用できる。
【００２７】
また、中心部１０の大きさはクラウン３２の境界３４を保持できる程度の大きさ、例えば１〜５ｃｍ四方のＬ字状に曲げる部分１１を備えていればよい。また、中央部（中心部）１０の全体のサイズ、特にベース部１２のサイズとしては、フィンガー部２０を支持できる程度の強度を備えていればよいが、宣伝用のラベルを貼ったりするスペースを確保する点では、２〜１０ｃｍ四方あるいはそれに相当する扇形、円形あるいは多角形の形状を備えていてもよい。
【００２８】
本例のハンガー板１は、厚みが０．１〜数ｍｍ程度、例えば１ｍｍ程度のステンレススチール製であり、水や汗による腐食も少なく、耐久性も高く、ある程度の力で曲げることができ、曲げた後に可撓性を備えた形状を成型できるので、ハンガー５を形成する材料として適している。ハンガー板１は、アルミニウムなどの他の金属であってもよく、柔軟性を備えた樹脂に覆われた針金のような樹脂と金属のハイブリッド製の素材であってもよい。また、ハンガー板１を、ドライヤーの熱などで変形する熱硬化性樹脂や熱可塑性樹脂で形成してもよく、より小さな力でハンガー板１からハンガー５を成型することができる。多色の樹脂を用いたり、樹脂に蛍光剤を封入したり、塗布したりして発光するようにしてもよく、その他の機能をハンガー板１およびハンガー５に付加することも可能である。
【００２９】
また、本例のハンガー板１にはフック部２１となるフィンガー部２０（２０ｄ）にフック用の孔２５を設けているが、孔２５の代わりに、あるいは孔２５とともに、括れや、その他のハンガー５を他の部品や製品に支持できる形状あるいは構造を備えていてもよい。
【００３０】
ハンガー板１のフィンガー部２０の数も本例に限定されないことは上述した通りであり、フィンガー部２０は３つ以上であればよい。また、ハンガー板１の全体形状としては、本例のような手のひら型が１つの好適な例であるが、ハート形や、パイナップル型、あるいはその他の、宣伝広告あるいはメッセージを伝達するために適した形にデザインすることも可能である。
【符号の説明】
【００３１】
１  ハンガー板、  １０…板状部（第１の部分、中心部）
１１…Ｌ字状折り曲げ部分
２０…フィンガー部（第２の部分）、  ２１…フック部、  ２２…アーム部
２５…フック孔部、  ２４…先端曲げ部、  ２６…折り返し部分
３０…帽子、  ３１…つば、  ３２…クラウン、  ３３…前縁部分（先端）、  ３４…境界部分
【図１】
2020014759.tif 000003
【図２】
2020014759.tif 000004
【図３】
2020014759.tif 000005
【図４】
2020014759.tif 000006
【図５】
2020014759.tif 000007
【図６】
2020014759.tif 000008
【図７】
2020014759.tif 000009